(57)【特許請求の範囲】
【請求項１】
被梱包物及び付属部品を緩衝材で支持し、これらを外箱に収納する梱包装置において、梱包前に付属部品を積み重ねるときの上方向のスペースを確保するためのスペーサが設けられ、該スペーサは、付属部品を保持するシート部材の端部を折り曲げ加工することにより、シート部材の付属部品を載置する載置面側に断面三角形状に形成され、その底面がシート部材の載置面に重ねられたことを特徴とする梱包装置。
【請求項２】
前記スペーサの底面と側面との境界の折曲辺の近傍に係止爪が切り起こし形成され、シート部材を切り起こしてなる切起片に、係止爪を係止するための係止穴が形成されたことを特徴とする請求項１記載の梱包装置。
【請求項３】
前記スペーサの底面と側面との境界の折曲辺に付属部品の端部を挿入するための開口が形成されたことを特徴とする請求項１又は２記載の梱包装置。
【請求項４】
前記被梱包物は空気調和機の室内ユニットとされ、前記付属部品は前記室内ユニットを室壁に取り付けるための据付板とされたことを特徴とする請求項１〜３のいずれかに記載の梱包装置。
【請求項５】
前記据付板の上にリモコン等の小型付属部品が載せられ、前記スペーサの高さが据付板及び小型付属部品を重ねた高さより大とされたことを特徴とする請求項４記載の梱包装置。
【発明の詳細な説明】
【０００１】
【発明の属する技術分野】
本発明は、例えば分離形空気調和機の室内ユニットを梱包するための梱包装置に関するものである。
【０００２】
【従来の技術】
一般に、分離形空気調和機の室内ユニット等を梱包するときには、この室内ユニット等（被梱包物）と共に、室内ユニットを室壁に取り付けるための据付板等の付属部品と、リモコン等の小型付属部品とを梱包している。図７〜図１０に、室内ユニットと据付板及び小型付属部品とを梱包するための梱包装置の一例を示す。
【０００３】
図７に示すように、この梱包装置は、室内ユニット１０１と、据付板１０２及び小型付属部品１０３を収納した付属部品箱１０４とを緩衝材１０５で支持し、これらを外箱１０６に収納するようになっている。緩衝材１０５は、室内ユニット１０１の左右両端を支持し、その上面側の凹部１０７に、室内ユニット１０１の上方に配置される付属部品箱１０４の左右両端が嵌め込まれる。
【０００４】
付属部品箱１０４は、図８に示す形状の一枚の厚紙等を折り曲げて、上面の一部が開口した略六面体の箱に組み立てたものであり、図９に示すように、小型付属部品１０３をテープ止めした据付板１０２を載せた状態で、図１０に示す略六面体形状に組み立てられる。この付属部品箱１０４は、梱包工程の前工程において、据付板１０２及び小型付属部品１０３を収納した状態に組み立てられ、複数の付属部品箱１０４が積み重ねて保管される。
【０００５】
【発明が解決しようとする課題】
ところが、上記の梱包装置では、据付板及び小型付属部品を付属部品箱に収納しているため、付属部品の周縁が付属部品箱に覆われてしまい、付属部品の梱包及び取り出しが面倒である。また、付属部品を付属部品箱と外箱とで二重に梱包することになり、付属部品箱の材料が無駄になりやすい。
【０００６】
これに対して、付属部品を付属部品箱に収納せずに、小型付属部品を取り付けた据付板を緩衝材で直接支持すれば、付属部品の梱包及び取り出しを簡単にすると共に、付属部品箱の材料を節約することができる。しかし、梱包工程の前工程における付属部品の保管時に、据付板の一部から突出する小型付属部品が邪魔になって、付属部品を積み重ねにくくなる。そのため、保管スペースが余分に必要となる。
【０００７】
本発明は、付属部品箱を用いることなく、付属部品を積み重ねて保管することができる梱包装置を提供することを目的とする。
【０００８】
【課題を解決するための手段】
上記目的を達成するため、本発明は、被梱包物及び付属部品を緩衝材で支持し、これらを外箱に収納する梱包装置において、梱包前に付属部品を積み重ねるときの上方向のスペースを確保するためのスペーサが設けられ、該スペーサが付属部品に取り付けられて、緩衝材に支持される梱包装置を提供するものである。
【０００９】
この構成によれば、付属部品にスペーサを取り付けて各付属部品の上方向にスペースを確保するので、各付属部品を積み重ねるときに、そのスペースに付属部品の突出部を位置させることができる。そのため、付属部品の突出部が邪魔にならないようにすることができ、付属部品箱を用いることなく、梱包前に各付属部品を積み重ねて保管することができる。なお、スペーサを緩衝材で支持すれば、付属部品を緩衝材に嵌め込むとき、あるいは取り外すときの付属部品の損傷を防止することができる。
【００１０】
付属部品をシート部材で保持し、このシート部材と一体的にスペーサを設ければ、スペーサの位置決めを容易にすることができる。このとき、シート部材に複数のスペーサを設ければ、シート部材を介して接続された各スペーサ同士がその動きを互いに規制し合うため、スペーサが付属部品から外れにくいようにすることができる。
【００１１】
スペーサの具体的な構成としては、シート部材の端部を折り曲げ加工して立体的に形成してスペーサとする。このスペーサに、付属部品の一部を挿入してこの付属部品を支持するための開口を形成すればよい。折り曲げ加工したスペーサは、保持手段によって所定の立体的形状に保持すればよく、この保持手段をスペーサ及びシート部材のどちらか一方に形成した係止部と、他方に形成した被係止部とで構成し、被係止部で係止部を係止するようにすればよい。より具体的には、スペーサに爪を形成して係止部とし、シート部材に穴を形成して被係止部として、穴に爪を挿入するようにすればよい。
【００１２】
スペーサを断面三角形状に形成すれば、その三角形の各辺でトラス構造が構成されるため、スペーサを所定の断面形状に保持することができ、付属部品を積み重ねたときのスペーサの断面変形を防止することができる。つまり、スペーサの断面を三角形に構成する場合、その各辺長を所定の長さに設定することでスペーサの断面形状が決まるため、荷重による各辺間の角度変化を防止することができる。
【００１３】
スペーサをシート部材の両面のうちの付属部品を載置する載置面側に形成し、その底面をシート部材の載置面に重ねれば、スペーサの破損を防止することができる。つまり、スペーサの底面をシート部材の載置面に重ねることにより、破損しやすいシート部材の端縁をシート部材の載置面で保護することができる。また、シート部材の端部と載置面との接触面積を大きくすることにより、両者間の摩擦を大きくして、スペーサを変形しにくくすることができる。
【００１４】
スペーサの形状を保持する手段としては、その底面と側面との境界の折曲辺の近傍に係止部としての係止爪を切り起こし形成し、シート部材を切り起こして切起片を形成して、この切起片に係止爪を係止するための係止部としての係止穴を形成すればよい。
【００１５】
スペーサの底面と側面との境界の折曲辺に開口を形成して、この開口に付属部品の端部を挿入すれば、付属部品にスペーサを取り付けることができる。このとき、開口がスペーサの底面の高さに形成されるので、スペーサが付属部品の上方に確保するスペースを大きくすることができる。また、シート部材に直接付属部品を載せることができるので、付属部品の重みによるスペーサの破損を防止することができる。
【００１６】
空気調和機の室内ユニットを被梱包物として、この室内ユニットを室壁に取り付けるための据付板を付属部品とすれば、本発明の好適な態様を例示することができる。この場合、スペーサが確保するスペースに小型付属部品を位置させることにより、据付板の上にリモコン等の小型付属部品を載せることができる。スペーサの高さは、据付板及び小型付属部品を重ねた高さより大とすればよい。
【００１７】
【発明の実施の形態】
以下、本発明に係る梱包装置の実施の形態について、図面を用いて説明する。この梱包装置は、図６に示すように、空気調和機の室内ユニット１（被梱包物）と、室内ユニット１の背面部を室壁や天井等に取り付けるための据付板２（付属部品）とを緩衝材３で支持し、これらを外箱４に収納するものである。図１に示すように、据付板２の上面には小型付属部品５がテープ止めされ、据付板２と共に小型付属部品５が梱包されるようになっている。ここで、小型付属部品５は、リモコン、工事説明書、取扱い説明書等であり、これらが一つの袋に収納されている。
【００１８】
据付板２は、シート部材６に載せられて、定位置に固定することによって保持され、このシート部材６を介して緩衝材３に支持される。図２に示すように、シート部材６の両端部には、据付板２側にスペースを確保するためのスペーサ７が設けられている。このスペーサ７の高さは、据付板２及び小型付属部品５を重ねた高さよりも大とされ、梱包前の前工程において、シート部材６で保持された据付板２を積み重ねて保管するときに、上方向のスペースに据付板２及び小型付属部品５を位置させるようになっている。
【００１９】
シート部材６は、図３に示す長方形状の一枚の厚紙、段ボール等からなり、図４に示すように、その両端部を折り曲げ加工することにより、スペーサ７が立体的に形成される。スペーサ７は、その底面８がシート面９に重ねられた断面三角形状とされ、その底面８と側面１０との境界の折曲辺１１ａに形成された開口１２に、据付板２の端部を挿入することにより、シート部材６が据付板２を動かないように保持する。
【００２０】
シート部材６には、スペーサ７の側面１０に重なるように切起片１３が切り起こし形成され、スペーサ７には、切起片１３が重ねられる部分で折曲辺１１ａの近傍に、係止爪１４が切り起こし形成されている。切起片１３には、係止爪１４を係止する係止穴１５が形成され、この係止穴１５に係止爪１４を挿入することにより、スペーサ７の形状が保持されるようになっている。
【００２１】
次に、この梱包装置で室内ユニット１、据付板２及び小型付属部品５を梱包する手順を説明する。まず、厚紙や段ボール等からなる一枚の長方形シートに１回のトムソン加工を施して、図３及び図５（ａ）に示す形状のシート部材６に加工する。このトムソン加工により、シート部材６の長手方向両端部には、その短辺と平行なそれぞれ３本の折曲辺１１ａ、１１ｂ、１１ｃ（罫線）が等間隔に形成される。なお、シート部材６の端縁と折曲辺１１ａとに挟まれた平面が底面８、折曲辺１１ａと折曲辺１１ｂとに挟まれた平面が内側の側面１０、折曲辺１１ｂと折曲辺１１ｃとに挟まれた平面が外側の側面となる。
【００２２】
シート部材６の両端の折曲辺１１ａ上には、スペーサ７の底面８及び側面１０に跨るように、据付板２の端部を挿入できるだけの長さの開口１２が形成される。側面１０の開口１２を避けた部分には、コ字形の切込１６がその開放部を折曲辺１１ａに合わせて形成される。折曲辺１１ａは、切込１６の開放部で途切れるようにされ、折曲辺１１ａを折り曲げることによって、係止爪１４がシート部材６の長手方向内向きに突出するようになっている。
【００２３】
シート面９の折曲辺１１ａに対向する位置の近傍には、シート部材６の長手方向における内方が開放されたコ字形の切込１７と、その開放部に折曲辺１８が形成される。さらに、コ字形の切込１９がその開放部を折曲辺１８に合わせて形成され、その開放部で折曲辺１８が途切れるようになっている。
【００２４】
次いで、図に示す折曲辺１８を谷折りして、切込１７及び折曲辺１８で囲まれた切起片１３を起こし、切込１９とシート面９とで囲まれた係止穴１５を形成する。また、図５（ｂ）に示すように、折曲辺１１ａ、１１ｂ、１１ｃを谷折りして、断面三角形状のスペーサ７を形成する。さらに、図５（ｃ）に示すように、スペーサ７を形成した段階で、据付板２の端部を開口１２に挿入する。この開口１２は、スペーサ７の底面８及び側面１０に跨るように形成されているので、その上下方向の大きさが大きく、据付板２の端部を挿入しやすくなっている。
【００２５】
その後、図５（ｄ）に示すように、据付板２及びスペーサ７をシート面９に向けて押さえ、スペーサ７の底面８をシート面９に重ねると、まず自動的に切起片１３が係止爪１４を避ける方向に傾き、次に係止爪１４が係止穴１５に挿入されて、切起片１３がスペーサ７の側面１０に重なる。このとき、シート面９（載置面）に載置された据付板２の端部がスペーサ７の底面８を押さえるため、スペーサ７の変形が防止される。開口１２のうちの底面８に形成された部分はシート面９で閉塞され、側面１０に形成された部分だけが開放されるため、開口１２の大きさが小さくなり、据付板２ががたがたしないように固定される。
【００２６】
図５（ｂ）、（ｃ）及び（ｄ）の行程を両端部で行うことにより、据付板２がシート部材６に保持される。次いで、図５（ｅ）に示すように、この据付板２の中央部に、小型付属部品５を載せてテープ止めし、図５（ｆ）に示すように、シート部材６による据付板２及び小型付属部品５の保持が完了する。
【００２７】
図６に示すように、室内ユニット１の両端を緩衝材３で支持し、この緩衝材３の上面に形成された凹部２０に、据付板２及び小型付属部品５を保持したシート部材６のスペーサ７を嵌め込み、室内ユニット１の上方に据付板２及び小型付属部品５を配置する。なお、緩衝材３としては発泡スチロール以外にも段ボール等を使用できる。
【００２８】
上面側が開放された外箱４に、緩衝材３で支持した室内ユニット１、据付板２及び小型付属部品５を挿入し、外箱４の上フラップを閉じた後、封緘針で封緘して梱包が完了する。
【００２９】
据付板２を取り出すときは、封緘針を取り外して外箱４の上フラップを開き、シート部材６で保持された据付板２を緩衝材３の凹部２０から取り外す。シート部材６の一端側の切起片１３を手で傾けて、係止爪１４を係止穴１５から抜き出し、スペーサ７の底面８をシート面９から離間させて一方のスペーサ７を解体し、開口１２から据付板２の端部を抜き出す。据付板２から小型付属部品５を取り外す時期は、シート部材６から据付板２を取り外す前後のどちらでもよい。
【００３０】
上記構成によれば、据付板２の両端部だけを覆うシート部材６で、据付板２を保持している。そのため、据付板２の全周を覆う付属部品箱に据付板２及び小型付属部品５を収納する場合のように、四方を折り畳む作業が必要なく、二方だけの折り畳みですむので、その梱包が容易であり、その保持用の材料を少なくすることができる。
【００３１】
据付板２を取り出すときは、一方のスペーサ７を解体することにより、その開口１２から据付板２を抜き出すことができるため、１回の作業ですみ、据付板２の取り出しが容易である。また、シート部材６を用いることにより、据付板２の上方の開口面積が大きくなるため、この開口から小型付属部品５を取り出すことができる。
【００３２】
また、シート部材６にスペーサ７を設けて、据付板２及び小型付属部品５を位置させるスペースを確保するため、梱包行程の前行程で、小型付属部品５をテープ止めした据付板２を積み重ねて保管することができる。シート部材６は、トムソン加工を施した平坦なシート状のものを納入することができ、その輸送及び保管時に嵩張らないようにすることができる。
【００３３】
なお、本発明は、上記の実施の形態に限定されるものではなく、本発明の範囲内において、適宜変更を加えることができる。例えば、この梱包装置は空気調和機の室内ユニット１及び据付板２を梱包するだけでなく、コンピュータ及びそのキーボードのように、室内ユニット１以外の被梱包物と、その付属部品とを梱包する梱包装置としても使用することができる。
【００３４】
シート部材６は、複数のスペーサ７を設けた１つのシート部材６だけでなく、複数に分割したシート部材６にそれぞれスペーサ７を設けて、シート部材の材料をより少なくしてもよく、据付板２を保持する場合のように１つの付属部品を保持するだけでなく、複数の付属部品を保持するものであってもよい。スペーサ７は、シート部材６を折り曲げ加工したものだけでなく、発泡スチロール等で成形されたものを用いてもよい。
【００３５】
据付板２（付属部品）の保持は、スペーサ７に形成した開口１２に据付板２の端部を挿入するだけでなく、シート面９に別の保持具を設けてもよい。また、据付板２（付属部品）にスペーサ７の開口１２を嵌め込んで、据付板２にスペーサ７を直接取り付けることにより、シート部材６を省略してもよい。
【００３６】
スペーサ７の形状は三角形状だけでなく、四角形状やシート部材７を複数回折り畳んで立体的な形状にしたもの等、どのような形状であってもよい。このスペーサ７の形状を保持する保持手段としては、スペーサ７に形成した係止爪１４と、シート部材６に形成した係止穴１５との組み合わせだけでなく、シート部材６に係止爪１４を形成してスペーサ７に係止穴１５を形成してもよい。また、シート部材６及びスペーサ７の両方に係止爪１４を形成し、両係止爪１４に設けた切り込み同士を係合させるようにしたり、テープ等で止めるようにしたり、種々の保持手段を用いることができる。
【００３７】
スペーサ７に、小型付属部品５を収納できる空間を形成し、この空間に小型付属部品５を差し込んで保持してもよい。特に、スペーサ７の内部空間を利用すれば、外箱４内のスペースを有効に利用することができ、多数の付属部品を収納するときに有用である。
【００３８】
スペーサ７は、据付板２及び小型付属部品を載置する側に、両者を重ねた高さよりも突出するように形成するだけでなく、据付板２及び小型付属部品５を載置する側とは反対側にも突出させて、その総高さが据付板２及び小型付属部品を重ねた高さよりも高くなるようにしてもよい。このスペーサ７を取り付けた据付板２を積み重ねたとき、小型付属部品５のうちのスペーサ７よりも上方に位置する部分は、上方のスペーサ７による非載置面側のスペースに位置することになる。
【００３９】
【発明の効果】
以上の説明から明らかなように、本発明では、付属部品にスペーサを取り付けるため、付属部品を積み重ねて保管することができ、保管スペースを節減することができる。また、付属部品をシート部材で保持し、このシート部材を折り曲げ加工してスペーサを形成するため、付属部品を付属部品箱に収納する場合よりも、その梱包及び取り出しが簡単になり、その保持用部材の材料を少なくすることができる。
【００４０】
また、室内ユニットの梱包工程の前工程において、あらかじめ所定の形状に加工されたシート部材を折り曲げ加工するので、運送時のコンテナへの入数を増加させ、輸送効率を向上させて輸送コストの削減に寄与することができる。
【図面の簡単な説明】
【図１】付属部品を本発明の梱包装置のシート部材で保持した状態を示す斜視図
【図２】（ａ）は複数の付属部品を積み重ねる前の斜視図、（ｂ）は付属部品を積み重ねた状態を示す斜視図、（ｃ）は（ｂ）の側面図
【図３】シート部材の折り曲げ加工前の平面図
【図４】（ａ）はシート部材の折り曲げ加工時を示す要部斜視図、（ｂ）はシート部材の折り曲げ加工完了後を示す要部斜視図、（ｃ）は（ｂ）の側面図
【図５】据付板及び小型付属部品をシート部材で保持する手順を示す要部斜視図
【図６】室内ユニット、据付板及び小型付属部品を外箱に収納する手順を示す斜視図
【図７】従来の梱包装置において室内ユニット、据付板及び小型付属部品を外箱に収納する手順を示す斜視図
【図８】梱包装置の付属部品箱の展開図
【図９】付属部品箱に据付板及び小型付属部品を収納する様子を示す斜視図
【図１０】付属部品箱に据付板及び小型付属部品を収納した状態を示す斜視図
【符号の説明】
１      室内ユニット（被梱包物）
２      据付板（付属部品）
３      緩衝材
４      外箱
５      小型付属部品
６      シート部材
７      スペーサ
８      底面
１０    側面
１１    折曲辺
１２    開口
１３    切起片
１４    係止爪
１５    係止穴
【図１】
0004015872.tif 000002
【図２】
0004015872.tif 000003
【図３】
0004015872.tif 000004
【図４】
0004015872.tif 000005
【図５】
0004015872.tif 000006
【図６】
0004015872.tif 000007
【図７】
0004015872.tif 000008
【図８】
0004015872.tif 000009
【図９】
0004015872.tif 000010
【図１０】
0004015872.tif 000011